(57)【要約】      （修正有）【課題】簡易な装置構成で、充填ノズルを経時的に一定の温度に維持しやすい、油性化粧料の充填ノズルを提供する。【解決手段】油性化粧料の充填ノズルは、充填用の油性化粧料が通過する内部空間１４を画定し、先端に前記油性化粧料の吐出口１６を有する筒状ノズル１２と、該筒状ノズルの外周面１８上の少なくとも吐出口側端部領域に配設された電熱ヒータ２０と、前記筒状ノズルの外周面１８上の吐出口側端部領域の温度を常時または間欠的に検出する温度センサ２６と、温度センサ２６および電熱ヒータ２０に接続されており、温度センサ２６により検出された温度に基づき、電熱ヒータ２０へ電力を供給する制御部と、を有する。【選択図】図３
2014008990.tif 000002
【特許請求の範囲】
【請求項１】
充填用の油性化粧料が通過する内部空間を画定し、先端に前記油性化粧料の吐出口を有する筒状ノズルと、
該筒状ノズルの外周面上の少なくとも吐出口側端部領域に配設された電熱ヒータと、
前記筒状ノズルの外周面上の吐出口側端部領域の温度を常時または間欠的に検出する温度センサと、
該温度センサおよび前記電熱ヒータに接続されており、前記温度センサにより検出された温度に基づき、前記電熱ヒータへ電力を供給する制御部と、
を有することを特徴とする油性化粧料の充填ノズル。
【請求項２】
前記制御部は、前記温度センサにより検出される温度が所定の範囲内に収まるように、または、一定値になるように、前記電熱ヒータへの電力供給を制御する請求項１に記載の充填ノズル。
【請求項３】
前記筒状ノズルを複数有し、
前記制御部は、複数の前記筒状ノズルにそれぞれ設けられた前記電熱ヒータへの電力供給を独立して制御可能である請求項１または２に記載の充填ノズル。
【請求項４】
前記筒状ノズルの外周に配置した外筒を有し、
前記電熱ヒータおよび前記温度センサは、前記筒状ノズルと前記外筒との間に配設される請求項１〜３のいずれか１項に記載の充填ノズル。
【請求項５】
前記電熱ヒータは、電熱線を樹脂フィルムで封止してなる面状ヒータである請求項１〜４のいずれか１項に記載の充填ノズル。
【請求項６】
前記電熱ヒータは、前記吐出口に近い位置ほど前記電熱線が密に配設されている請求項５に記載の充填ノズル。
【請求項７】
前記温度センサを前記電熱線とともに前記樹脂フィルムに封止してなる請求項５または６に記載の充填ノズル。
【発明の詳細な説明】
【技術分野】
【０００１】
本発明は、口紅等の溶融充填を必要とする油性化粧料を充填するための充填ノズルに関する。
【背景技術】
【０００２】
口紅等の油性化粧料は、粉体等を分散した半固形油や液体油を固化剤により固化して調製されている。油性化粧料を容器に充填する場合、容器内に充填ノズルを挿入し、溶融させた油性化粧料を充填ノズルから吐出しながら充填ノズルを引き上げる。油性化粧料は、容器内に充填されると空気や容器によって冷やされ、すぐに固化する。
【０００３】
ここで、充填ノズル内で油性化粧料が固化しないように、充填ノズルを加熱することが従来行われている。従来の加熱方法には以下のようなものがあった。まず、所定の間隔で離間して並べられた複数本の充填ノズルからなる充填ノズル群の両側の、充填ノズル群から５〜１０ｃｍ程度離れた位置に一対の電気ヒータを配置し、このヒータからの輻射熱により充填ノズル群を加熱する方法がある。あるいは、このヒータを熱源として圧縮空気で熱風を作り、充填ノズル群に吹き付ける方法もある。これらは、充填ノズルから離れた熱源から間接的に充填ノズルを加熱する方法である。
【０００４】
また、特許文献１には、充填用の化粧料が通過する内筒と、この内筒の外周に配置した外筒とからなる二重構造の充填ノズルを用意し、外筒に媒体注入孔および媒体排出孔を設けて、内筒と外筒との間の空間に温調用媒体を循環させることによって、直接的に充填ノズルを加熱し、内筒内を通過する化粧料の温度を設定温度に維持する技術が記載されている。
【先行技術文献】
【特許文献】
【０００５】
【特許文献１】特開平１１−２２７７１８号公報
【発明の概要】
【発明が解決しようとする課題】
【０００６】
しかしながら、これら従来の加熱方法には以下のような問題があった。
【０００７】
充填ノズル内での油性化粧料の温度は、充填後の固化した油性化粧料の表面の仕上がり面に影響を及ぼす。特に、いわゆるパール顔料といった光輝性粉体を含む口紅の場合、充填ノズルの温度、特に充填ノズルの先端部の温度が適切に管理されないと、仕上がり面にパール顔料のムラが生じてしまい、商品価値のないものとなってしまう。具体的には、表面張力と重力により充填ノズルの先端の吐出口からわずかに露出した口紅は、充填ノズルの先端部の温度が下がると固化が早くなる。そのため、次に充填する容器内でいわゆるダマの状態でノズルから吐出され、その結果、美しい仕上がり面とならず不良品となってしまう。そのため、充填ノズルには、稼働中を通じて経時的に常に一定の温度に維持されることが求められている。複数本の充填ノズルからなる充填ノズル群で、同時に複数の容器に充填を行う場合には、全ての充填ノズルに同様のことが求められる。
【０００８】
しかし、充填ノズルから離れた熱源から間接的に充填ノズルを加熱する方法の場合、充填ノズル周辺の空調条件等の周辺環境の変化の影響を受けやすく、充填ノズルを経時的に一定の温度に維持しにくいという問題があった。その結果、充填後の仕上がり面にばらつきが生じ、仕上がり面にムラが生じた製品は不良品として処分せざるを得ない状況であった。また、この方法の場合、充填ノズル群のうち両端の充填ノズルは温度が低下しやすいが、中央の充填ノズルは比較的温度が安定しているといった、複数本の充填ノズル間での温度ばらつきも問題であった。さらに、この方法の場合、充填ノズル群の両側に大型の電気ヒータを配置するため、装置が大掛かりとなり、例えば充填ノズルの調整作業が困難となるなどの問題もあった。
【０００９】
また、特許文献１のように、それぞれの充填ノズルを温調用媒体で加熱する方法は、充填ノズルを直接的に加熱する方法であるため、充填ノズルの温度は経時的に維持しやすいが、温調用媒体の供給・排出機構を設ける必要があり、装置が大掛かりであり、充填ノズルの内部構造も複雑となる。また、温調用媒体が経時的に変質することがあり、変質すると、異物発生や粘度変化などによって、内筒と外筒との間の空間に温調用媒体の詰まりが発生するおそれがある。よって、温調用媒体を循環させる当該方法に替わる技術が求められていた。
【００１０】
そこで本発明は、上記課題に鑑み、簡易な装置構成で、充填ノズルを経時的に一定の温度に維持しやすい、油性化粧料の充填ノズルを提供することを目的とする。
【課題を解決するための手段】
【００１１】
上記の目的を達成するべく、本発明の要旨構成は以下のとおりである。
本発明の油性化粧料の充填ノズルは、充填用の油性化粧料が通過する内部空間を画定し、先端に前記油性化粧料の吐出口を有する筒状ノズルと、該筒状ノズルの外周面上の少なくとも吐出口側端部領域に配設された電熱ヒータと、前記筒状ノズルの外周面上の吐出口側端部領域の温度を常時または間欠的に検出する温度センサと、該温度センサおよび前記電熱ヒータに接続されており、前記温度センサにより検出された温度に基づき、前記電熱ヒータへ電力を供給する制御部と、を有することを特徴とする。
【００１２】
本発明において、前記制御部は、前記温度センサにより検出される温度が所定の範囲内に収まるように、または、一定値になるように、前記電熱ヒータへの電力供給を制御することが好ましい。
【００１３】
本発明の充填ノズルは、前記筒状ノズルを複数有し、前記制御部は、複数の前記筒状ノズルにそれぞれ設けられた前記電熱ヒータへの電力供給を独立して制御可能であることが好ましい。
【００１４】
また、本発明の充填ノズルは、前記筒状ノズルの外周に配置した外筒を有し、前記電熱ヒータおよび前記温度センサは、前記筒状ノズルと前記外筒との間に配設されることが好ましい。
【００１５】
本発明において、前記電熱ヒータは、電熱線を樹脂フィルムで封止してなる面状ヒータであることが好ましい。この場合、前記電熱ヒータは、前記吐出口に近い位置ほど前記電熱線が密に配設されていることが好ましく、また、前記温度センサを前記電熱線とともに前記樹脂フィルムに封止してなることが好ましい。
【発明の効果】
【００１６】
本発明によれば、簡易な装置構成で、充填ノズルを経時的に一定の温度に維持しやすい、油性化粧料の充填ノズル制御装置を提供することができる。
【図面の簡単な説明】
【００１７】
【図１】本発明に従う油性化粧料の充填ノズルを含む充填装置２００の正面図である。
【図２】図１に示す充填装置２００の分解斜視図である。
【図３】（Ａ）は、図１の充填装置２００で用いられる充填ノズルのノズル部の断面図であり、（Ｂ）は、（Ａ）のＩ−Ｉ断面図である。
【図４】図１の充填装置２００に用いられる面状ヒータを示す図である。
【図５】図１の充填装置２００に用いられる温度センサを示す図である。
【図６】充填装置２００に用いられる充填ノズルのノズル部を図１の左側から見た図である。
【図７】本発明に従う油性化粧料の充填ノズル１００の電気ブロック図である。
【図８】充填ノズルの先端の変形例を示す断面図である。
【発明を実施するための形態】
【００１８】
以下、図１〜７を参照して、本発明の一実施形態にかかる油性化粧料の充填ノズル１００と、この充填ノズルを含む充填装置２００を説明する。
【００１９】
本実施形態の充填ノズル１００は、口紅等の油性化粧料を容器１に充填するためのノズル部１０Ａ〜１０Ｅと、それらの温度を制御する制御部５０Ａ〜５０Ｅ（図７で後述）とを含む装置である。そして、充填ノズル１００を含む充填装置２００は、図１〜図３に示すように、等間隔で一列に配列された５本のノズル部１０Ａ〜１０Ｅと、これらの充填ノズルを吊下げ支持するベースブロック４０と、接続ブロック６０と、ホッパー６２と、シリンダブロック６４と、ピストンロッド６６と、サーボモータ６８と、バルブ切替用アクチュエータ７０とを有する。
【００２０】
ベースブロック４０には、図２に示すように、５つの穴が設けられ、これらの穴を通過した油性化粧料が各ノズル部１０Ａ〜１０Ｅ内へと送られる。ベースブロック４０は、接続ブロック６０に取り付けられている。ホッパー６２は、油性化粧料Ｌを収容する。ホッパー６２にはヒータが設けられており、内部の化粧料Ｌは９０℃程度で溶融し、保温された状態である。接続ブロック６０には、このホッパー６２とシリンダブロック６４が接続されている。また、接続ブロック６０には、ホッパー６２からの化粧料Ｌを受け入れる流路（図示せず）が内部に設けられている。サーボモータ６８を駆動してピストンロッド６６をシリンダブロック６４内に押し込むことにより、溶融した化粧料Ｌが接続ブロック内の流路からノズル部１０Ａ〜１０Ｅへと送られる。なお、バルブ切替用アクチュエータ７０を回転させることにより、接続ブロック内のバルブ（図示せず）が切り替わり、流路がホッパー６２から化粧料Ｌを受け入れるモードと、サーボモータ６８により流路内の化粧料Ｌを押し出すモードとを切り替えることができる。
【００２１】
容器１に対する油性化粧料の充填は、以下の手順で行われる。まず、図１に示すように、パレット２に固定した５つの棒状の容器１がノズル部１０Ａ〜１０Ｅの直下に載置・固定される。その後、パレット２を上昇させて、ノズル部１０Ａ〜１０Ｅが容器１内に挿入された状態とする。その後、溶融させた油性化粧料をノズル部１０Ａ〜１０Ｅから吐出しながら、パレット２を下降させて、５つの容器１を引き下げる。すると、油性化粧料は容器１内に充填され、空気や容器１によって冷やされ、すぐに固化する。油性化粧料が充填された容器１は、ノズル部１０Ａ〜１０Ｅの直下から、製品完成のための次工程へと搬送される。以上の動作をくり返すことで、大量の容器に油性化粧料を充填することができる。
【００２２】
図３〜６を参照して、図１の充填装置２００で用いられるノズル部１０Ａを説明する。
【００２３】
ノズル部１０Ａは、筒状ノズル１２と、この筒状ノズルの外周に配置した外筒３２とを有する二重構造のノズルであり、筒状ノズル１２および外筒３２がノズルヘッド３４に差し込まれている。図１および図２に示すように、ベースブロック４０には筒状で内部が中空になっている雄ネジ３６が取り付けられている。ノズル部のノズルヘッド３４は、この雄ネジ３６の中空に挿入され、さらに雌ネジであるロックナット３８を閉めることにより、充填ノズル１０Ａはベースブロック４０に固定される。
【００２４】
筒状ノズル１２は、熱伝導性の良い素材であれば特に制限はないが、例えばステンレス、銅合金、アルミニウム合金、チタン合金等の材料からなり、充填用の油性化粧料が通過する内部空間１４を画定し、先端に油性化粧料の吐出口１６を有する。筒状ノズル１２の寸法は特に限定されないが、口紅を一般的な棒状の容器１に充填する場合には、長さ３０〜１００ｍｍ程度、内径３〜５ｍｍ程度、外径４〜７ｍｍ程度の細長い形状とする。筒状ノズル１２の吐出口１６とは反対側の端部から、加熱・溶融された油性化粧料が内部空間１４へと導入される。
【００２５】
また、外筒３２は、例えばステンレス、耐熱性樹脂等の材料からなる。外筒３２の寸法は特に限定されないが、一般的な口紅を棒状の容器１に充填する場合には、外径５〜８ｍｍ程度とする。さらに、内径を筒状ノズル１２の外径よりも０．５ｍｍ程度大きくし、筒状ノズル１２と外筒３２との間のクリアランスを０．５ｍｍ程度確保する。口紅を充填する容器の内径は特に限定されないが、一般的には９〜１２ｍｍであるため、充填ノズル１０Ａの外径を上記のように設定する。
【００２６】
図３に示すように、ノズル部１０Ａには、筒状ノズル１２と外筒３２との間、具体的には、筒状ノズルの外周面１８上に、電熱ヒータである面状ヒータ２０を配設している。面状ヒータ２０は、図４に示すように、ニクロム線、ステンレス箔等の電熱線２２をポリイミド、フェノール樹脂等の樹脂フィルム２４で封止してなる。図４に示す面状ヒータ２０を筒状ノズル１２の外周面１８に巻きつけ、その上から外筒３２を筒状ノズル１２に嵌め込んでいる。面状ヒータ２０を接着剤で筒状ノズル１２の外周面１８に貼り付けてもよい。図４に示すように、電熱線２２の両端は、電線２３とハンダ付け接続され、２本の電線２３は、樹脂フィルム２４の一部である一対のタブ２５で樹脂フィルム２４から出ている。電熱線２２は電線２３を介して供給される電力で発熱し、筒状ノズル１２を加熱する。また、図４に示すように、面状ヒータ２０は、下方に行くほど電熱線２２が密に配設されている。面状ヒータ２０を筒状ノズル１２の外周面１８上に配設する際には、この電熱線２２が密に配設されている下方側が吐出口１６に近い位置となるような姿勢とすることが好ましい。面状ヒータ２０の厚みは、０．０８〜０．１５ｍｍ程度とする。
【００２７】
図３に示すように、ノズル部１０Ａには、筒状ノズル１２と外筒３２との間、具体的には、筒状ノズルの外周面１８上に温度センサ２６を配設する。温度センサ２６は、筒状ノズル１２の外周面１８上の吐出口側端部領域に設けられ、当該領域の温度を常時または間欠的に検出する。温度センサ２６には、図５に示すように、ポリイミド、フェノール樹脂等の樹脂フィルム３０で封止して、厚みを０．０５〜０．１５ｍｍ程度とすることができる任意のものを選択する。温度センサ２６の出力は、２本の配線２８を通じて後述の制御部に伝達される。温度センサ２６による温度検出は、間欠的に行う場合には例えば６０ミリ秒に１回の間隔とすることが好ましい。
【００２８】
図３（Ｂ）に示すように、筒状ノズル１２の外周面１８は、その全周のうち温度センサ２６を設けた箇所以外には面状ヒータ２０を設けることが好ましい。筒状ノズル１２の全周を均等に加熱することができるからである。または、温度センサ２６を覆うように外周面１８の全周に面状ヒータ２０を設けてもよい。そして、図６に示すように、外筒３２にはノズルヘッド３４の近傍に開口部が設けられており、筒状ノズル１２に巻きつけられた面状ヒータ２０の一対のタブ２５が、当該開口部から引き出され、電線２３には電熱線２２を発熱させるための電力が供給される。また、温度センサの２本の配線２８も当該開口部から引き出され、制御部に繋がれる。
【００２９】
ノズル部１０Ｂ〜１０Ｅもノズル部１０Ａと同様の構造となっている。すなわち、ノズル部１０Ｂ〜１０Ｅにも、面状ヒータ２０および温度センサ２６がそれぞれ設けられている。
【００３０】
次に、図７を参照して、ノズル部１０Ａ〜１０Ｅでの電熱ヒータの制御について説明する。図７は、充填ノズル１００の電気ブロック図である。面状ヒータ２０Ａ〜２０Ｅおよび温度センサ２６Ａ〜２６Ｅは、それぞれ制御部５０Ａ〜５０Ｅに接続されている。制御部５０Ａ〜５０Ｅは、それぞれＡＣ／ＤＣコンバータ５２Ａ〜５２Ｅを介して、１００ＶのＡＣ電源に接続されている。ＡＣ／ＤＣコンバータ５２Ａ〜５２Ｅでは、ＡＣ１００ＶがＤＣ１２Ｖと変換されている。なお、温度センサ２６Ａ〜２６Ｅの検出した温度をそれぞれリアルタイム表示するモニタ（図示せず）を設けてもよい。
【００３１】
制御部５０Ａ〜５０Ｅには、温度センサ２６Ａ〜２６Ｅの目標温度Ｔｓｅｔがそれぞれ設定されている。目標温度は、油性化粧料を仕上げ面のムラがないように充填できる適切な温度である。一般的な口紅の場合、例えば約９０℃で流動性のある状態の油性化粧料が筒状ノズル１２の内部空間１４に導入される。そのため、温度センサ２６Ａ〜２６Ｅの目標温度、すなわち、筒状ノズル１２の吐出口近傍の温度は９０〜９５℃程度とすることが好ましい。
【００３２】
そして、制御部５０Ａ〜５０Ｅは、温度センサ２６Ａ〜２６Ｅにより検出された温度に基づき、面状ヒータ２０Ａ〜２０Ｅへ電力を供給する。以下、充填ノズル１０Ａを例にして具体的に説明する。
【００３３】
まず、温度センサ２６Ａが検出した温度Ｔが、制御部５０Ａに伝達される。制御部５０Ａは、検出温度Ｔと目標温度Ｔｓｅｔとを比較する。検出温度Tが目標温度Ｔｓｅｔを下回った場合、制御部５０Aは、ＡＣ／ＤＣコンバータ５２Ａが出力した電力を面状ヒータ２０Ａに供給し、面状ヒータ２０Ａに通電する。その結果、面状ヒータ２０Ａは発熱する。面状ヒータ２０Ａが発熱することにより、筒状ノズル１２の吐出口近傍の温度が変化し、その結果、温度センサ２６Ａにより検出される温度Ｔが変化する。
【００３４】
一方、検出温度Ｔが目標温度Ｔｓｅｔ以上の場合、制御部５０Aは、ＡＣ／ＤＣコンバータ５２Ａが出力した電力を遮断し、面状ヒータ２０Ａに供給しないように制御する。
【００３５】
そして、温度センサ２６による温度検出を間欠的に行い、その都度、検出温度Ｔに基づく上記制御を行う。
【００３６】
このようなＯｎ−Ｏｆｆ制御により、制御部５０Ａは、温度センサ２６Ａにより検出される温度Ｔが一定値Ｔｓｅｔになるように、面状ヒータ２０Ａへの電力供給を制御する。その結果、検出温度Ｔを室温からスタートさせた場合、１０数秒程度で検出温度Ｔは９０〜９５℃の目標温度Ｔｓｅｔへと到達し、その後は、目標温度の±１℃の範囲内に検出温度Ｔを維持することができる。温度センサ２６Ａの検出した温度をリアルタイム表示するモニタによれば、筒状ノズル１２の温度管理が適切になされているかを確認できる。検出温度Ｔが目標温度Ｔｓｅｔへと到達したら、既述の充填動作を開始すればよい。なお、このＯｎ−Ｏｆｆ制御は、例えば６０ミリ秒ごとに行なうことによって、実質的にノズル部１０Ａの温度を一定に管理することができる。
【００３７】
ノズル部１０Ｂ〜１０Ｅについても、これと同様の制御を行うことができる。すなわち、本実施形態では、制御部５０Ａ〜５０Ｅは、５本のノズル部１０Ａ〜１０Ｅにそれぞれ設けられた面状ヒータ２０Ａ〜２０Ｅへの電力供給を独立して制御可能である。
【００３８】
以上説明した本実施形態による充填ノズル１００によれば、以下のような効果を得ることができる。
【００３９】
まず、本実施形態では、充填ノズルを直接加熱する面状ヒータ２０を用い、温度センサ２６の出力に応じて面状ヒータ２０への電力供給を制御するようにした。そのため、充填ノズルの温度の経時的な変動を極力抑えることができる。その結果、充填後の仕上がり面の品質を一定に保つことができる。つまり、充填後の仕上がり面にムラが生じにくい。また、大型のヒータや調温用媒体の循環装置などが不要であるため、簡易な装置構成とすることができる。
【００４０】
さらに、電熱式のヒータを用いたので、応答速度が速い点でも好ましい。既述のように、ヒータの電源を入れた直後は、１０数秒程度で検出温度Ｔを目標温度Ｔｓｅｔに到達させることができるし、例えば、目標温度Ｔｓｅｔを変更した場合にも、１０秒以内で検出温度Ｔを追随させることができる。
【００４１】
検出温度Ｔが一定値となるようにする上記のＯｎ−Ｏｆｆ制御によれば、充填ノズルの温度を経時的に一定として、仕上がり面にムラのない充填を行うことができる。
【００４２】
本実施形態は、複数本の充填ノズルのそれぞれの面状ヒータへの電力供給を独立して制御可能なので、全ての充填ノズルの目標温度を同じに設定することができる。そのため、複数本の充填ノズル間での温度ばらつきを抑制することができる。また、それぞれの充填ノズルの目標温度を異ならせることもできる。これはいわゆる多色（多種）充填を行う際に有効である。すなわち、複数の充填ノズルにおいて、適切な充填温度が異なる複数種類の油性化粧料を充填する場合、充填ノズルごとに異なる目標温度を設定すれば、全ての充填ノズルにおいて適切な充填を行うことができる。
【００４３】
本実施形態では、外筒３２を設け、筒状ノズル１２と外筒３２との間に面状ヒータ２０および温度センサ２６を配置した。そのため、外筒３２により、面状ヒータ２０および温度センサ２６に油性化粧料が付着し、焼き付くことを回避できる。また、外筒３２により面状ヒータ２０を筒状ノズル１２の外周面１８へと付勢することができるため、接着剤等を用いる必要がない点でも好ましい。さらに、面状ヒータ２０による熱を逃がさずに筒状ノズル１２に伝えることができ、温度センサ２６により温度の検出も外気の影響を受けないため高精度となる。
【００４４】
本実施形態では、０．０８〜０．１５ｍｍ程度といった非常に薄い面状ヒータ２０を用いたので、充填ノズルを大径化させることがない。
【００４５】
本実施形態では、面状ヒータ２０は、吐出口１６に近い位置ほど電熱線２２が密に配設されている。そのため、特に温度が低下しやすい吐出口近傍を確実に加熱することができる。
【００４６】
以下、本発明に従う油性化粧料の充填ノズルの変形例を示す。上記実施形態では、目標温度Ｔｓｅｔを一定値としたが、本発明はこれに限定されず、目標温度を所定の範囲としてもよい。例えば、９３〜９４℃の範囲内を目標温度として設定し、制御部５０は、検出温度Ｔが当該範囲内に収まるように、面状ヒータ２０への電力供給を制御する。
【００４７】
上記実施形態では、面状ヒータ２０を筒状ノズル１２の外周面１８上のうちノズルヘッド３４より下の領域全体に設けたが、本発明はこれに限定されず、筒状ノズル１２の外周面１８上の少なくとも吐出口側端部領域に設ければよい。既述のとおり、筒状ノズル１２では特に吐出口近傍での温度の低下が問題となるため、当該領域に設ければ、油性化粧料が充填ノズル内で固化することなく、しかも、充填後の仕上がり面にムラが生じにくいという効果を得ることができるからである。
【００４８】
上記実施形態では５本の充填ノズルの例を示したが、これに限らず、複数本でも１本でもよい。１本の充填ノズルでも、その充填ノズルの温度の経時的な変動を極力抑えることができるという効果を得ることができるからである。
【００４９】
上記実施形態では面状ヒータ２０を用いたが、本発明はこれに限定されず、充填する容器１への充填ノズルの挿入を阻害しないサイズのものであれば、他の任意の電熱ヒータを用いることができる。例えば、電熱線を筒状ノズルの外周面上にらせん状に巻き付けてコイル状ヒータとしてもよい。
【００５０】
図８に、充填ノズルの先端の変形例を示す。このように、充填ノズルは、その先端において筒状ノズル１２が外筒３２から飛び出た構成とすることが好ましい。具体的には、筒状ノズル１２の先端と外筒３２の先端との距離Ｄが１ｍｍ程度とすることができる。既述のとおり、充填ノズル１２の吐出口１６からは表面張力と重力により化粧料がわずかに露出し、これが仕上がり面への悪影響の原因となりうる。図３のように、筒状ノズル１２の先端と外筒３２の先端とが揃っている場合、吐出口１６から露出する化粧料が外筒３２にまで到達するおそれがある。一方、図８においては、吐出口１６から露出する化粧料が外筒３２にまで到達せず、仕上がり面への悪影響をより少なくすることができる。
【００５１】
また、図８のように、外筒３２の先端は筒状ノズル１２の外径程度にまで絞り込んだ形状とすることが好ましい。外筒３２のセンタリング性が向上するとともに、筒状ノズル１２と外筒３２との間に配設される面状ヒータおよび温度センサ（図８では省略）に吐出口１６からの化粧料が付着し、焼き付くのを防ぐことができる。
【００５２】
上記実施形態では、温度センサ２６は面状ヒータ２０とは別に樹脂フィルム３０で封止したが、温度センサ２６を電熱線２２とともに樹脂フィルムに封止して、面状ヒータと温度センサが一体となったモジュールを用いることもできる。
【００５３】
なお、本発明における「油性化粧料」とは、油性成分を連続相とするものであり、溶融充填後に冷却されることにより固化してなる化粧料を意味する。この油性化粧料は、水性相を含有しない非水型であっても、水性相を油相中に分散または乳化した油中水型であってもよく、例えば固化剤を３％以上含むものである。本発明は口紅のような棒状化粧料を製造するのに適しているが、容器１の形状は棒状に限定されず、皿状、ジャータイプ、チューブ、ボトル等の形状でも構わない。
【産業上の利用可能性】
【００５４】
本発明によれば、簡易な装置構成で、充填ノズルを経時的に一定の温度に維持しやすい、油性化粧料の充填ノズルを提供することができる。
【符号の説明】
【００５５】
１  容器
２  パレット
１００  充填ノズル
２００  充填装置
１０Ａ〜１０Ｅ  ノズル部
１２  筒状ノズル
１４  内部空間
１６  吐出口
１８  外周面
２０（２０Ａ）  面状ヒータ
２２  電熱線
２３  電線
２４  樹脂フィルム
２５  タブ
２６（２６Ａ）  温度センサ
２８  配線
３０  樹脂フィルム
３２  外筒
３４  ノズルヘッド
３６  雄ネジ
３８  ロックナット（雌ネジ）
４０  ベースブロック
５０（５０Ａ〜５０Ｅ）  制御部
５２Ａ〜５２Ｅ  ＡＣ／ＤＣコンバータ
６０  接続ブロック
６２  ホッパー
６４  シリンダブロック
６６  ピストンロッド
６８  サーボモータ
７０  バルブ切替用アクチュエータ
【図１】
2014008990.tif 000003
【図２】
2014008990.tif 000004
【図３】
2014008990.tif 000005
【図４】
2014008990.tif 000006
【図５】
2014008990.tif 000007
【図６】
2014008990.tif 000008
【図７】
2014008990.tif 000009
【図８】
2014008990.tif 000010